(57)【要約】【課題】操作部の水平移動によって、台座部に対してリフト部を上下方向に動かすことができるペーパークラフトを提供すること。【解決手段】シート材２に印刷された型紙として、台座部１０と、台座部１０の表面に沿って所定の移動方向Ｘに動かされる操作部２０と、台座部１０に差込片３１ｂが固定されると共に操作部２０の移動によって動かされるリフト部３０と、が設けられ、リフト部３０は、一端の差込片３１ｂが台座部１０に固定され、中間部に第１切込み３１ｅが形成された帯状の第１脚部３１と、一端の操作部連結片３２ｃが操作部２０に接続され、中間部に第２切込み３２ｅが形成された帯状の第２脚部３２と、を有し、組立状態で、第１,第２切込み３１ｅ,３２ｅが噛み合うと共に、第１脚部３１の差込片３１ｂと、第２脚部３２の操作部連結片３２ｃとが互いに反対に位置する構成とした。【選択図】図１
2017148408.tif 000002
【特許請求の範囲】
【請求項１】
シート材に印刷された型紙から立体模型が形成されるペーパークラフトであって、
前記シート材には型紙として、台座部と、前記台座部の表面に沿って所定の移動方向に動かされる操作部と、前記台座部に一部が固定されると共に前記操作部の移動によって動かされるリフト部と、が設けられ、
前記リフト部は、帯状に形成されて前記移動方向に長手方向が一致すると共に、一端が前記台座部に固定され、中間部に短手方向に延びる第１切込みが形成された第１脚部と、帯状に形成されて前記移動方向に長手方向が一致すると共に、一端が前記操作部に接続され、中間部に短手方向に延びる第２切込みが形成された第２脚部と、を有し、
組立状態で、前記第１切込みと前記第２切込みとが噛み合うと共に、前記第１脚部の固定側端部と、前記第２脚部の操作部側端部とが互いに反対に位置する
ことを特徴とするペーパークラフト。
【請求項２】
請求項１に記載されたペーパークラフトにおいて、
前記リフト部は、前記第１脚部の先端と前記第２脚部の先端との最大離隔寸法以上の長さに設定されると共に、前記第２脚部の先端に接続される支持面部を有する
ことを特徴とするペーパークラフト。
【請求項３】
請求項２に記載されたペーパークラフトにおいて、
前記シート材には型紙として、組立状態で、前記リフト部の前記移動方向に直交する方向の両側に起立する一対の柱部が設けられる
ことを特徴とするペーパークラフト。
【請求項４】
請求項１から請求項３のいずれか一項に記載されたペーパークラフトにおいて、
前記第１脚部及び前記第２脚部は、折曲線で区画され、組立状態で重なり合う表面領域と裏面領域とを有する
ことを特徴とするペーパークラフト。
【請求項５】
請求項１から請求項４のいずれか一項に記載されたペーパークラフトにおいて、
前記型紙は、任意の位置に形成されたスリットと、縁部に設けられると共に他の型紙に形成されたスリットに差し込まれる差込片と、を有し、
前記差込片は、前記型紙に沿って折り返された状態で、該型紙に重なった他の型紙に形成されたスリットに差し込み可能な長さを有する
ことを特徴とするペーパークラフト。
【発明の詳細な説明】
【技術分野】
【０００１】
本発明は、シート材に印刷された型紙から立体模型が制作されるペーパークラフトに関する発明である。
【背景技術】
【０００２】
従来、シート材に印刷された型紙を切り抜き、切り抜かれた型紙を折り曲げたり、張り合わせたりして形成された複数のパーツを組み合わせて、電車やロボット、人形等の立体模型が制作されるペーパークラフトが知られている（例えば、特許文献１〜４参照）。
【先行技術文献】
【特許文献】
【０００３】
【特許文献１】特許第５４１７１４８号公報
【特許文献２】実開昭５９-７６２９４号公報
【特許文献３】実開昭５６-８１７８１号公報
【特許文献４】実用新案登録第３０４８７６３号公報
【発明の概要】
【発明が解決しようとする課題】
【０００４】
ところで、ペーパークラフトによって制作される立体模型の中には、車両整備用リフト等のように印刷で当該部分を表示するよりも、実物に近い動きで動作させたいと望まれる部位がある。一方、ペーパークラフトの立体模型は、型紙から制作されるため、単純な構造で可動できるようにする必要がある。
【０００５】
そこで、本発明は、操作部の水平移動によって、台座部に対してリフト部を上下方向に動かすことができるペーパークラフトを提供することを目的としている。
【課題を解決するための手段】
【０００６】
上記目的を達成するため、本発明は、シート材に印刷された型紙から立体模型が制作されるペーパークラフトであって、前記シート材には型紙として、台座部と、台座部の表面に沿って所定の移動方向に動かされる操作部と、台座部に一部が固定されると共に操作部の移動によって動かされるリフト部と、が設けられている。そして、前記リフト部は、第１脚部と、第２脚部と、を有している。
前記第１脚部は、帯状に形成されて操作部の移動方向に長手方向が一致すると共に、一端が台座部に固定され、中間部に短手方向に延びる第１切込みが形成されている。
前記第２脚部は、帯状に形成されて操作部の移動方向に長手方向が一致すると共に、一端が操作部に接続され、中間部に短手方向に延びる第２切込みが形成されている。
さらに、組立状態で、第１切込みと第２切込みとが噛み合うと共に、第１脚部の固定側端部と、第２脚部の操作部側端部とが互いに反対に位置する。
【発明の効果】
【０００７】
よって、本発明のペーパークラフトでは、リフト部を組み立てた際、第１脚部と第２脚部との中間部が噛み合うと共に、第１脚部の固定側端部と、第２脚部の操作部側端部とが互いに反対に位置する。
そして、操作部を、所定の移動方向に沿って第１脚部の固定側端部に向かって動かすと、この操作部の移動に伴って第２脚部の操作部側端部が押される。この第２脚部を押す力は、噛み合い部分を介して第１脚部に伝達される。しかし、この第１脚部は、固定側端部が台座部に固定されているので移動が阻止され、噛み合い部分を起点に先端が上方に向く。そして、そのまま操作部を移動させることで、第１脚部は固定側端部を起点に立ち上がっていく。一方、第１脚部が立ち上がることで、これに噛み合っている第２脚部も操作部側端部を起点に共に連れ上がっていく。
この結果、中間部が噛みあった状態で第１,第２脚部を同時に立ち上げることができ、操作部の水平移動によって、台座部に対してリフト部を上下方向に動かすことができる。
【図面の簡単な説明】
【０００８】
【図１】実施例１のペーパークラフトによって制作される立体模型の外観斜視図である。
【図２Ａ】実施例１のペーパークラフトのリフト部及び操作部の型紙が印刷されたシート材を示す平面図である。
【図２Ｂ】実施例１のペーパークラフトの台座部及び柱部の型紙が印刷されたシート材を示す平面図である。
【図３】組立状態のリフト部及び操作部の分解斜視図である。
【図４】組立状態の台座部及び柱部の分解斜視図である。
【図５Ａ】実施例１のペーパークラフトにおいて型紙表面から差込片を差し込む連結部分を示す拡大斜視図である。
【図５Ｂ】実施例１のペーパークラフトにおいて型紙裏面から差込片を差し込む連結部分を示す拡大斜視図である。
【図６】実施例１のペーパークラフトによって制作された立体模型のリフト降下状態を示す説明図である。
【図７】実施例１のペーパークラフトによって制作された立体模型のリフト上昇状態を示す説明図である。
【発明を実施するための形態】
【０００９】
以下、本発明のペーパークラフトを実施するための形態を、図面に示す実施例１に基づいて説明する。
【００１０】
（実施例１）
まず、実施例１のペーパークラフトの構成を、「全体概要構成」、「リフト部及び操作部の詳細構成」、「台座部及び柱部の詳細構成」に分けて説明する。
【００１１】
［全体概要構成］
図１は、実施例１のペーパークラフトによって制作される立体模型の外観斜視図である。図２Ａ及び図２Ｂは、実施例１のペーパークラフトの型紙が印刷されたシート材を示す平面図である。以下、図１〜図２Ｂに基づき、実施例１のペーパークラフトの全体概要構成を説明する。
【００１２】
実施例１のペーパークラフトによって制作されるテーブルリフト型の立体模型（以下、「リフト模型１」という）は、図２Ａ,図２Ｂに示すシート材２に印刷された各種の型紙（台座部１０、操作部２０、リフト部３０、柱部４０）を、シート材２から切り抜き、折り曲げたり、接続したりして各パーツを形成してから、図１に示すように組み合わせることで制作される。
【００１３】
ここで、シート材２には、紙が使用できる。なお、シート材２は、紙に限定されるものではなく、合成樹脂などのシート、膜、薄板など、厚みが薄い可撓性の面状材であればよい。
【００１４】
このシート材２には、少なくとも表面に、各種の型紙の外縁及びリフト模型１の露出面として必要となる図や文字情報などの印刷が施されている。また、不図示であるが、シート材２の裏面にも、組み立て方法や広告などの図や文字情報などの印刷を施すことができる。さらに、このシート材２には、切取線３（図２Ａ,図２Ｂにおいて太線で示す）及び折曲線４（図２Ａ,図２Ｂにおいて破線で示す）が形成されている。切取線３は、各種の型紙の外縁に沿っており、例えば点状にアンカット部を残して予めシート材２を切り込ませることで形成される。なお、この切取線３としては、ミシン目状の切取線や印刷のみの切取線であってもよい。折曲線４は、型紙の適宜箇所に必要に応じて形成され、例えばシート材２をエンボス加工することで形成される。
【００１５】
そして、シート材２には型紙として、台座部１０と、台座部１０の表面に沿って所定の移動方向に動かされる操作部２０と、台座部１０に一部が固定されるリフト部３０と、台座部１０に固定される一対の柱部４０,４０と、が設けられている。
【００１６】
［リフト部及び操作部の詳細構成］
図３は、組立状態のリフト部及び操作部の分解斜視図である。以下、図２Ａ及び図３に基づき、実施例１のリフト部及び操作部の詳細構成を説明する。
【００１７】
リフト部３０となる型紙としては、図２Ａに示すように、一対の第１脚部３１,３１と、一対の第２脚部３２,３２と、支持面部３３と、連結部３４と、を有している。
【００１８】
前記第１脚部３１は、長方形の帯状に印刷された脚部本体３１ａと、脚部本体３１ａの長手方向の一端から連続する差込片３１ｂと、脚部本体３１ａの長手方向の他端から連続する連結片３１ｃと、脚部本体３１ａの長手方向の両端部から短手方向に延在した一対の差込片３１ｄ,３１ｄと、を有しており、それぞれ折曲線４によって区画されている。
【００１９】
ここで、脚部本体３１ａは、組み立てた際、長手方向が操作部２０の移動方向Ｘ（図１参照）に一致する第１脚部３１の本体部分である。この脚部本体３１ａは、中間部に、短手方向に延びる第１切込み３１ｅが形成され、長手方向の両端部に、一対の差込片３１ｄ,３１ｄがそれぞれ差し込まれるスリット３１ｆ,３１ｆが一つずつ形成されている。
さらに、この脚部本体３１ａは、長手方向に延びる折曲線４で区画され、組立状態で重なり合う表面領域３１ｇと、裏面領域３１ｈとを有している。
なお、第１切込み３１ｅは、一端が開放されたコ字状の切込みであり、開放端からの切込長さは、組立状態の第１脚部３１の幅寸法の半分に設定されている。
【００２０】
また、差込片３１ｂは、台座部１０に形成された固定用スリット１１ａに差し込まれる部分である。連結片３１ｃは、図３に示すように、連結部３４を介して他方の第１脚部３１と連結される部分であり、連結部３４の挿入片３４ｂが差し込まれるスリット３１ｊが形成されている。一対の差込片３１ｄ,３１ｄは、折曲線４に沿って脚部本体３１ａを折り曲げた際、スリット３１ｆ,３１ｆにそれぞれ差し込まれる。
【００２１】
前記第２脚部３２は、長方形の帯状に印刷された脚部本体３２ａと、脚部本体３２ａの長手方向の一端から連続する接続片３２ｂと、脚部本体３２ａの長手方向の他端から連続する操作部連結片３２ｃと、脚部本体３２ａの長手方向の両端部から短手方向に延在した一対の差込片３２ｄ,３２ｄと、を有しており、それぞれ折曲線４によって区画されている。
【００２２】
ここで、脚部本体３２ａは、組み立てた際に、長手方向が操作部２０の移動方向Ｘ（図１参照）に一致する第２脚部３２の本体部分である。この脚部本体３２ａは、中間部に、短手方向に延びる第２切込み３２ｅが形成され、長手方向の両端部に、一対の差込片３２ｄ,３２ｄがそれぞれ差し込まれるスリット３２ｆ,３２ｆが一つずつ形成されている。
さらに、この脚部本体３２ａ及び操作部連結片３２ｃは、長手方向に延びる折曲線４で区画され、組立状態で重なり合う表面領域３２ｇと、裏面領域３２ｈとを有している。
なお、第２切込み３２ｅは、一端が開放されたコ字状の切込みであり、開放端からの切込長さは、組立状態の第２脚部３２の幅寸法の半分に設定されている。
【００２３】
また、接続片３２ｂは、図３に示すように、支持面部３３に形成されたスリット３３ｈに差し込まれる部分である。操作部連結片３２ｃは、操作部２０の操作部本体２１が取り付けられる部分であり、差込片２１ｂが差し込まれる一対のスリット３２ｊ,３２ｊが形成されている。一対の差込片３２ｄ,３２ｄは、折曲線４に沿って脚部本体３２ａ及び操作部連結片３２ｃを折り曲げた際、スリット３２ｆ,３２ｆにそれぞれ差し込まれる。
【００２４】
前記支持面部３３は、長方形の枠状に印刷された表面領域３３ａと、表面領域３３ａの短手方向の一端から連続する裏面領域３３ｂと、表面領域３３ａの長手方向の一端から連続する連結領域３３ｃと、表面領域３３ａの長手方向の両端部から裏面領域３３ｂと反対方向に延在した一対の差込片３３ｄ,３３ｄと、を有し、それぞれ折曲線４によって区画されている。
【００２５】
ここで、表面領域３３ａ及び裏面領域３３ｂは、組み立てた際、折曲線４で折り曲げられて重なり合い、長手方向が操作部２０の移動方向Ｘ（図１参照）に一致する支持面部３３の本体部分である。この表面領域３３ａ及び裏面領域３３ｂは、それぞれ中心部に切取線３で区画された切抜領域３３ｅが形成されている。
そして、表面領域３３ａには、切抜領域３３ｅの内側に延在された一対の差込片３３ｆ,３３ｆが形成され、裏面領域３３ｂには、差込片３３ｄ,３３ｄ,３３ｆ,３３ｆがそれぞれ差し込まれる複数のスリット３３ｇが形成されている。
また、表面領域３３ａ及び裏面領域３３ｂの長手方向寸法Ｌは、組立状態で第１脚部３１の先端となる連結片３１ｃと、第２脚部３２の先端となる接続片３２ｂとの最大離隔寸法α（図３参照）以上の長さに設定されている。
【００２６】
また、連結領域３３ｃは、図３に示すように、一対の第２脚部３２,３２が接続される部分であり、各第２脚部３２の接続片３２ｂがそれぞれ差し込まれる一対のスリット３３ｈ,３３ｈが形成されている。ここで、スリット３３ｈは、接続片３２ｂが連結領域３３ｃの裏面側から差し込まれる第１スリット３３ｊと、第１スリット３３ｊから突出した接続片３２ｂの先端が差し込まれる第２スリット３３ｋと、を有している。
【００２７】
前記連結部３４は、一対の第１脚部３１,３１の先端となる連結片３１ｃを連結すると共に、支持面部３３の裏面に摺接する部分である。この連結部３４は、長方形の帯状に印刷された本体部３４ａと、本体部３４ａの長手方向の両端から延在した一対の挿入片３４ｂ,３４ｂと、を有し、それぞれ折曲線４によって区画されている。なお、各挿入片３４ｂには、適宜の位置に折曲線４が設けられている。
【００２８】
操作部２０となる型紙としては、図２Ａに示すように、操作部本体２１と、摘み部２２と、を有している。
【００２９】
前記操作部本体２１は、四角形状に印刷された操作面２１ａと、操作面２１ａの四隅から延在された複数の差込片２１ｂと、を有しており、それぞれ折曲線４によって区画されている。ここで、操作面２１ａは、第２脚部３２の操作部連結片３２ｃを覆う部分であり、中央部に摘み部２２を固定するための一対のスリット２１ｃ,２１ｃが形成されている。
【００３０】
前記摘み部２２は、操作部本体２１を動かす際に操作者によって把持される部分である。この摘み部２２は、長方形の帯状に印刷された本体部２２ａと、本体部２２ａの長手方向の両端から延在した一対の差込片２２ｂ,２２ｂと、を有しており、それぞれ折曲線４によって区画されている。
ここで、本体部２２ａには、適宜の位置に折曲線４が設けられ、組立状態で操作部本体２１から突出するようになっている。また、一対の差込片２２ｂ,２２ｂは、それぞれ操作部本体２１の操作面２１ａに形成された一対のスリット２１ｃ,２１ｃに差し込まれる。
【００３１】
そして、このリフト部３０は、第１脚部３１の第１切込み３１ｅに対して、第２脚部３２の第２切込み３２ｅが噛み合い、図３に示すようなＸ字状構造となる。このとき、第１脚部３１の固定側端部である差込片３１ｂと、第２脚部３２の操作部側端部である操作部連結片３２ｃとは、互いに反対に位置する。
【００３２】
そして、一対の第１脚部３１,３１の各差込片３１ｂがここでは図示しない台座部１０の固定用スリット１１ａ,１１ａに差し込まれて固定される。一方、一対の第２脚部３２,３２の各操作部連結片３２ｃには操作部２０の操作部本体２１が取り付けられるが、この操作部本体２１は、台座部１０に対して載置されるだけである。そのため、操作部２０及び第２脚部３２は、台座部１０に対して摺動可能となる。
【００３３】
さらに、第２脚部３２の先端となる接続片３２ｂは、支持面部３３の連結領域３３ｃに形成されたスリット３３ｈに差し込まれ、連結領域３３ｃが第２脚部３２に連結される。一方、第１脚部３１の先端となる連結片３１ｃに形成されたスリット３１ｆには、連結部３４の挿入片３４ｂが差し込まれ、一対の第１脚部３１,３１が連結される。このとき、支持面部３３は、この連結部３４の上側に載置されるだけである。そのため、支持面部３３は、第１脚部３１に対しては拘束されず、第１脚部３１は、支持面部３３に対して摺接可能となる。
【００３４】
［台座部及び柱部の詳細構成］
図４は、組み立て状態の台座部及び柱部の分解斜視図である。以下、図２Ｂ及び図４に基づき、実施例１の台座部及び柱部の詳細構成を説明する。
【００３５】
台座部１０となる型紙としては、図２Ｂに示すように、台座部本体１１と、操作部抑え１２と、を有している。
【００３６】
前記台座部本体１１は、リフト部３０及び一対の柱部４０,４０を載置可能な面積を有する平面部分である。この台座部本体１１には、一対の第１脚部３１,３１の各差込片３１ｂがそれぞれ差し込まれる一対の固定用スリット１１ａ,１１ａと、一対の柱部４０,４０がそれぞれ有する複数の差込片４２ｃが差し込まれる複数の柱用スリット１１ｂと、操作部抑え１２の差込片１２ｂ,１２ｂが差し込まれる一対の抑え用スリット１１ｃ,１１ｃと、が形成されている。
【００３７】
前記操作部抑え１２は、台座部本体１１に固定され、操作部２０の浮き上がりを抑制する部位である。この操作部抑え１２は、帯状に印刷された抑え面１２ａと、抑え面１２ａの長手方向の両端から延在した一対の差込片１２ｂ,１２ｂと、を有し、それぞれ折曲線４によって区画されている。
【００３８】
柱部４０となる型紙としては、図２Ｂに示すように、支柱部４１と、起立部４２と、を有している。
【００３９】
前記支柱部４１は、矩形状に印刷されており、折曲線４に沿って三角柱状に組み立てられる部位である。この支柱部４１は、起立部４２に形成された一対のスリット４２ｄ,４２ｄに差し込まれる一対の差込片４１ａ,４１ａと、組み立て状態を保持する一対のスリット４１ｂ,４１ｂ及び差込片４１ｃ,４１ｃと、を有している。
なお、この支柱部４１には、折曲線４に連続する切込み４１ｄが一対形成されている。
【００４０】
前記起立部４２は、長方形状に印刷された支持面４２ａと、この支持面４２ａの短手方向の端部から延在された立上り部４２ｂと、支持面４２ａの周囲から延在された複数の差込片４２ｃと、を有し、それぞれ折曲線４によって区画されている。
ここで、支持面４２ａには、支柱部４１の一対の差込片４１ａ,４１ａが差し込まれる一対のスリット４２ｄ,４２ｄが形成されている。そして、折曲線４に沿って折り曲げられると共に、複数の差込片４２ｃがそれぞれ台座部１０に形成された柱用スリット１１ｂに差し込まれることで、立上り部４２ｂが台座部１０に対して起立する。この立上り部４２ｂは、三角柱状に組み立てられた支柱部４１の内側に挿入される。このとき、支柱部４１に形成された切込み４１ｄが立上り部４２ｂと噛み合う。
【００４１】
そして、図４に示すように、台座部１０に対して、一対の柱部４０,４０が対向して配置される。この一対の柱部４０,４０の間には、リフト部３０（図３参照）が配置される。また、台座部本体１１と操作部抑え１２との間には、リフト部３０に接続された操作部２０の操作部本体２１が差し込まれる。
【００４２】
次に、実施例１のペーパークラフトによる「リフト模型の制作方法」を説明し、続いて実施例１のペーパークラフトの「リフト部昇降作用」を説明する。
【００４３】
[リフト模型の制作方法]
図５Ａ及び図５Ｂは、差込片の差し込み方法を模式的に示す説明図である。以下、図３〜図５Ｂに基づき、実施例１のリフト模型の制作方法を説明する。
【００４４】
実施例１のペーパークラフトによってリフト模型１を制作するには、まず、シート材２に印刷された各種の型紙を切り抜く。
そして、柱部４０の支柱部４１及び起立部４２をそれぞれ組み立て、起立部４２の差込片４２ｃを台座部１０の柱用スリット１１ｂに差し込む（図４参照）。このとき、複数の差込片４２ｃのうち、支持面４２ａの長手方向の端部から延在された二つの差込片４２ｃ,４２ｃは、図５Ａに示すように、台座部本体１１の表面側から柱用スリット１１ｂに挿入される。
一方、支持面４２ａの短手方向の端部から延在された二つの差込片４２ｃ,４２ｃは、図５Ｂに示すように、支持面４２ａの裏面側に折り曲げられてこの支持面４２ａに沿うと共に、支持面４２ａに重なった台座部１０の裏面側から柱用スリット１１ｂに挿入される。なお、この差込片４２ｃの先端は、支持面４２ａと台座部１０の間に差し込まれる。つまり、支持面４２ａの短手方向の端部から延在された二つの差込片４２ｃ,４２ｃは、支持面４２ａの裏面側に沿って折り返された状態で、この支持面４２ａに重なった台座部１０に形成された柱用スリット１１ｂに差し込み可能な長さを有している。これにより、台座部１０は、支持面４２ａと差込片４２ｃによって挟み込まれ、差込片４２ｃを、台座部１０の表面側からスリットに差し込む場合よりも、接続強度の向上を図ることができる。
【００４５】
そして、三角柱状の支柱部４１に立上り部４２ｂを挿入すると共に、差込片４１ｃを支持面４２ａに形成されたスリット４２ｄに表面側から差し込む。これにより、柱部４０が台座部１０に対して組みつけられる。
また、台座部１０の抑え用スリット１１ｃに、操作部抑え１２の差込片１２ｂを差し込み、台座部本体１１に対して操作部抑え１２を取り付ける。
【００４６】
次に、リフト部３０の一対の第１脚部３１,３１と、一対の第２脚部３２,３２と、支持面部３３と、をそれぞれ組み立てる。
ここで、第１脚部３１は、折曲線４に沿って脚部本体３１ａを折り曲げ、表面領域３１ｇと裏面領域３１ｈを重ね合わせた上で、一対の差込片３１ｄ,３１ｄをスリット３１ｆ,３１ｆにそれぞれ差し込む。これにより、表面領域３１ｇと裏面領域３１ｈが重なった状態で保持される。
また、第２脚部３２は、折曲線４に沿って脚部本体３２ａ及び操作部連結片３２ｃを折り曲げ、表面領域３２ｇと裏面領域３２ｈを重ね合わせた上で、一対の差込片３２ｄ,３２ｄをスリット３２ｆ,３２ｆにそれぞれ差し込む。これにより、表面領域３２ｇと裏面領域３２ｈが重なった状態で保持される。
さらに、支持面部３３は、切抜領域３３ｅを切り取ってから折曲線４に沿って折り曲げ、表面領域３３ａと裏面領域３３ｂを重ね合わせた上で、差込片３３ｄ,３３ｄ,３３ｆ,３３ｆを複数のスリット３３ｇにそれぞれ差し込む。これにより、表面領域３３ａと裏面領域３３ｂが重なった状態で保持される。
【００４７】
これにより、第１脚部３１、第２脚部３２、支持面部３３は、いずれもシート材２が２枚重なったいわゆる２重構造となり、１枚のシート材２で形成される場合と比べて、パーツ強度を向上することができる。
【００４８】
リフト部３０の各パーツを組み立てたら、まず、第２脚部３２の操作部連結片３２ｃに形成された一対のスリット３２ｊ,３２ｊに対し、操作部２０の操作部本体２１に形成された差込片２１ｂを差し込む。これにより、一対の第２脚部３２,３２が、それぞれ操作部２０に接続される。
このとき、操作部連結片３２ｃが操作部本体２１の裏面側に重ねられる一方、差込片２１ｂは操作部本体２１の裏面側に折り返される。そして、この差込片２１ｂは、図５Ｂに示した差込片４２ｃと同様に、操作部連結片３２ｃの裏面側から、スリット３２ｊに挿入される。つまり、差込片２１ｂは、操作部本体２１の裏面側に沿って折り返された状態で、操作部連結片３２ｃに形成されたスリット３２ｊに差し込み可能な長さを有している。これにより、操作部連結片３２ｃは、操作部本体２１と差込片２１ｂによって挟み込まれ、操作部連結片３２ｃと操作部本体２１との接続強度の向上を図ることができる。
【００４９】
次に、一対の第２脚部３２,３２の各接続片３２ｂを、それぞれ支持面部３３の一対のスリット３３ｈ,３３ｈに差し込む。これにより、一対の第２脚部３２,３２が、それぞれ支持面部３３に接続される。
このとき、接続片３２ｂは、連結領域３３ｃの裏面側からスリット３３ｈの第１スリット３３ｊに挿入されてから、この連結領域３３ｃの表面側からスリット３３ｈの第２スリット３３ｋに挿入される。これにより、接続片３２ｂの先端は、連結領域３３ｃの裏面側に入り込むことになり、接続片３２ｂがスリット３３ｈから脱落しにくくすることができる。
【００５０】
続いて、一対の第１脚部３１,３１の各連結片３１ｃに形成されたスリット３１ｊに、連結部３４の一対の挿入片３４ｂ,３４ｂをそれぞれ挿入する。これにより、一対の第１脚部３１,３１が、それぞれ連結部３４に接続される。
このとき、挿入片３４ｂは、連結部３４の本体部３４ａの裏面側に折り返される。そして、この挿入片３４ｂは、図５Ｂに示した差込片４２ｃと同様に、第１脚部３１の裏面側からスリット３１ｊに挿入され、さらに先端が折り返される。つまり、挿入片３４ｂは、本体部３４ａの裏面側に沿って折り返された状態で、第１脚部３１,３１の連結片３１ｃに形成されたスリット３１ｊに差し込み可能な長さを有している。これにより、連結片３１ｃは、本体部３４ａと連結片３１ｃによって挟み込まれ、連結片３１ｃと連結部３４との接続強度の向上を図ることができる。
【００５１】
そして、一対の第１脚部３１,３１を一対の第２脚部３２,３２の間に挿入し、第１脚部３１の第１切込み３１ｅに対して、第２脚部３２の第２切込み３２ｅを噛み合わせ、図３に示すＸ字状構造とする。このとき、支持面部３３は、連結部３４上に載置される。
【００５２】
第１脚部３１と第２脚部３２を噛み合わせたら、一対の第１脚部３１,３１の各差込片３１ｂを、台座部１０に形成された固定用スリット１１ａ,１１ａに差し込む。これにより、第１脚部３１の一端が台座部１０に対して固定される。
【００５３】
最後に、一対の第２脚部３２,３２が接続された操作部２０を、台座部本体１１と操作部抑え１２の間に通し、その後、一対の差込片２２ｂ,２２ｂをスリット２１ｃ,２１ｃに差し込み、摘み部２２を操作部本体２１に取り付ける。これにより、リフト模型１が完成する。
【００５４】
［リフト部昇降作用］
図６は、実施例１のペーパークラフトによって制作された立体模型のリフト降下状態を示す説明図であり、図７は、実施例１のペーパークラフトによって制作された立体模型のリフト上昇状態を示す説明図である。以下、図６及び図７に基づき、実施例１のリフト部昇降作用を説明する。
【００５５】
実施例１のペーパークラフトによって形成されたリフト模型１では、中間部の第１切込み３１ｅと第２切込み３２ｅが噛み合わせられてＸ字状構造となった第１,第２脚部３１,３２のうち、第１脚部３１の一端に形成された差込片３１ｂが台座部１０に固定される。一方、第２脚部３２の操作部連結片３２ｃには、操作部２０が接続される。
そして、第１脚部３１の固定側端部である差込片３１ｂと、第２脚部３２の操作部側端部である操作部連結片３２ｃが互いに反対に位置する。
【００５６】
このようなリフト模型１において、操作部２０を移動方向Ｘに沿ってリフト部３０から離間する方向に動かすと、図６に示すように、第１,第２脚部３１,３２及び支持面部３３は重なり合い、台座部１０とほぼ面一になる。これにより、リフト部３０は、台座部１０に沿った降下状態となる。
【００５７】
次に、操作部２０を移動方向Ｘに沿ってリフト部３０に向かう方向に動かすと、第２脚部３２の操作部連結片３２ｃが水平方向に押される。
ここで、第２脚部３２の中間部が、第１,第２切込み３１ｅ,３２ｅを介して第１脚部３１に噛み合っており、第２脚部３２を水平方向に押す力（第２脚部３２を水平方向に移動させようとする力）は、この第１,第２切込み３１ｅ,３２ｅを介して第１脚部３１へと伝達される。
【００５８】
これに対し、第１脚部３１は、操作部２０が連結された第２脚部３２の操作部連結片３２ｃの反対側に位置する第１脚部３１の差込片３１ｂが台座部１０に固定されている。そのため、第１脚部３１は、水平方向への移動が阻止されて、噛み合い部分（第１切込み３１ｅ）を起点に先端（連結片３１ｃ側の端部）が上方を向く。そして、そのまま操作部２０を移動させると、第１脚部３１は、台座部１０に固定された差込片３１ｂを起点に立ち上がっていく。
【００５９】
一方、第１脚部３１が立ち上がると、これに噛み合っている第２脚部３２も噛み合い部分（第２切込み３２ｅ）が上方へと向かって押し上げられる。そのため、第２脚部３２は、操作部２０に連結した操作部連結片３２ｃを起点に、第１脚部３１と共に連れ上がっていく。
【００６０】
この結果、リフト部３０では、図７に示すように、第１,第２脚部３１,３２の中間部が噛み合った状態で、第１,第２脚部３１,３２を同時に立ち上げることができ、リフト部３０は、台座部１０に対して立ち上がった上昇状態となる。これにより、操作部２０の水平方向の移動によって、台座部１０からリフト部３０を立ち上げる動きを実現することができる。
なお、このときの操作部２０の移動は、操作部本体２１に設けられた摘み部２２が操作部抑え１２に干渉することで規制される。
【００６１】
そして、この上昇状態において、操作部２０を移動方向Ｘに沿ってリフト部３０から離間する方向に動かすと、第２脚部３２の操作部連結片３２ｃが引っ張られる。このとき、操作部２０が水平方向に移動するため、操作部連結片３２ｃを起点に立ち上がっていた第２脚部３２は、台座部１０に沿って水平に倒れていく。
一方、第２脚部３２が引っ張られていくに従い、第１脚部３１にも噛み合い部分（第１切込み３１ｅ）を介して水平方向に引っ張られる力が作用する。これにより、第１脚部３１は、噛み合い部分（第１切込み３１ｅ）を起点に引き倒されることになり、台座部１０に沿うように水平に倒れていく。
【００６２】
その後、リフト部３０は、第１,第２脚部３１,３２が重なり合い、台座部１０とほぼ面一になり、図６に示す降下状態となる。
このように、操作部２０を移動方向Ｘに沿って往復動することで、リフト部３０は、図６に示す降下状態と、図７に示す上昇状態とを繰り返すことができ、操作部２０を水平方向に動かして、リフト部３０を昇降させることができる。
【００６３】
なお、リフト部３０が昇降する際の第１脚部３１の起倒の起点となる脚部本体３１ａと差込片３１ｂとの境界位置と、第２脚部３２の起倒の起点となる脚部本体３２ａと操作部連結片３２ｃとの境界位置とを、いずれも谷折りすると、第１,第２脚部３１,３２の起倒動作を円滑に行うことができる。
【００６４】
また、このとき、リフト部３０は、組立状態での第１脚部３１の連結片３１ｃと、第２脚部３２の接続片３２ｂとの最大離隔寸法α（図３参照）以上の長さに設定されると共に、第２脚部３２の先端に接続される支持面部３３を有している。そのため、リフト部３０の昇降時、この支持面部３３は、第１,第２脚部３１,３２の先端（連結片３１ｃ,接続片３２ｂ）に支持されて、水平状態を維持したまま上下方向に移動する。
【００６５】
つまり、第２脚部３２の接続片３２ｂに接続した支持面部３３の連結領域３３ｃが、第２脚部３２の立ち上がり又は倒れこみに伴って上下方向へと移動すると、これと同時に、第１脚部３１の連結片３１ｃが連結された連結部３４によって、支持面部３３が支持される。ここで、連結部３４は、支持面部３３に対して拘束されておらず、支持面部３３の裏面に摺接する。
そのため、支持面部３３は、水平状態が維持されたまま、上下方向に移動が可能となる。
そして、この支持面部３３の上側に、例えばペーパークラフトによって制作された車型の立体模型を載置すれば、リフト部３０を用いてこの車型の立体模型を昇降させるといった使用が可能となる。
【００６６】
また、実施例１のリフト模型１では、台座部１０に一対の柱部４０,４０が立設した状態で組み付けられている。そして、図１に示すように、一対の柱部４０,４０の間にリフト部３０が配置される。すなわち、一対の柱部４０,４０は、組立状態で、リフト部３０の移動方向Ｘに直交する方向の両側に起立する。
【００６７】
そのため、支持面部３３の上側に他の立体模型を載置した状態でリフト部３０を昇降させた際、この他の立体模型が支持面部３３から脱落しようとすれば、一対の柱部４０,４０に干渉する。そのため、支持面部３３の上側に載置した他の立体模型が、リフト部３０の昇降によって支持面部３３から脱落することを防止することができる。
【００６８】
さらに、この実施例１では、台座部１０が操作部抑え１２を有しており、操作部２０は、台座部本体１１と操作部抑え１２の間に挿入される。そのため、操作部２０の浮き上がりを操作部抑え１２によって抑制することができ、操作部２０の動作を円滑に行うことができる。また、この操作部抑え１２に摘み部２２を干渉させることで操作部２０の移動量を規制することができ、簡易な構造で操作部２０の移動量を適切に制御することができる。
【００６９】
次に、効果を説明する。
実施例１のペーパークラフトにあっては、下記に列挙する効果を得ることができる。
【００７０】
(1) シート材２に印刷された型紙から立体模型（リフト模型１）が制作されるペーパークラフトであって、
前記シート材２には型紙として、台座部１０と、前記台座部１０の表面に沿って所定の移動方向Ｘに動かされる操作部２０と、前記台座部１０に一部（差込片３１ｂ）が固定されると共に前記操作部２０の移動によって動かされるリフト部３０と、が設けられ、
前記リフト部３０は、帯状に形成されて前記移動方向Ｘに長手方向が一致すると共に、一端（差込片３１ｂ）が前記台座部１０に固定され、中間部に短手方向に延びる第１切込み３１ｅが形成された第１脚部３１と、帯状に形成されて前記移動方向Ｘに長手方向が一致すると共に、一端（操作部連結片３２ｃ）が前記操作部２０に接続され、中間部に短手方向に延びる第２切込み３２ｅが形成された第２脚部３２と、を有し、
組立状態で、前記第１切込み３１ｅと前記第２切込み３２ｅとが噛み合うと共に、前記第１脚部３１の固定側端部（差込片３１ｂ）と、前記第２脚部３２の操作部側端部（操作部連結片３２ｃ）とが互いに反対に位置する構成とした。
これにより、操作部２０の水平移動によって、台座部１０に対してリフト部３０を上下方向に動かすことができる。
【００７１】
(2) 前記リフト部３０は、前記第１脚部３１の先端（連結片３１ｃ）と前記第２脚部３２の先端（接続片３２ｂ）との最大離隔寸法α以上の長さＬに設定されると共に、前記第２脚部３２の先端（接続片３２ｂ）に接続される支持面部３３を有する構成とした。
これにより、(1)の効果に加え、リフト部３０を用いて、他の立体模型等を昇降させるという使用を可能とすることができる。
【００７２】
(3) 前記シート材２には型紙として、組立状態で、前記リフト部３０の前記移動方向Ｘに直交する方向の両側に起立する一対の柱部４０,４０が設けられる構成とした。
これにより、(2)の効果に加え、リフト部３０を用いて、他の立体模型等を昇降させる際、他の立体模型等が支持面部３３から脱落することを防止できる。
【００７３】
(4) 前記第１脚部３１及び前記第２脚部３２は、折曲線４で区画され、組立状態で重なり合う表面領域３１ｇ,３２ｇと裏面領域３１ｈ,３２ｈとを有する構成とした。
これにより、(1)から(3)のいずれかの効果に加え、第１,第２脚部３１,３２をシート材２が２枚重なった２重構造とし、１枚のシート材２で形成される場合よりもパーツ強度を向上することができる。
【００７４】
(5) 前記型紙（起立部４２）は、任意の位置に形成されたスリットと、縁部に設けられると共に他の型紙（台座部本体１１）に形成されたスリット（柱用スリット１１ｂ）に差し込まれる差込片４２ｃと、を有し、
前記差込片４２ｃは、前記型紙（起立部４２）の表面に沿って折り返された状態で、前記他の型紙（台座部本体１１）に形成されたスリット（柱用スリット１１ｂ）に差し込み可能な長さを有する構成とした。
これにより、(1)から(4)のいずれかの効果に加え、他の型紙（台座部本体１１）を、型紙（起立部４２）と差込片４２ｃによって挟み込むことができ、型紙同士の接続強度の向上を図ることができる。
【００７５】
以上、本発明のペーパークラフトを実施例１に基づき説明してきたが、具体的な構成については、これらの実施例に限られるものではなく、特許請求の範囲の各請求項に係る発明の要旨を逸脱しない限り、設計の変更や追加等は許容される。
【００７６】
上記実施例１では、ペーパークラフトによって制作される立体模型としてリフト模型１とする例を示したがこれに限らない。例えば、身体の一部が伸縮する人形やロボット等の模型、また、建物型の模型等であっても、台座部に対してリフト部が上下方向に移動する部位を有する立体模型が制作されるペーパークラフトであれば、本発明を適用することができる。
【００７７】
さらに、実施例１では、型紙同士の接続や各種パーツの接続は、差込片をスリットに差し込んで接続する方法を用いているが、これに限らない。例えば、型紙の縁部にのりしろ領域を設け、のりを用いてこののりしろ領域を他の型紙やパーツの適宜の位置に貼り付けることで接続してもよい。
なお、差込片をスリットに差し込んで型紙同士や各種のパーツを接続する場合には、のりやシール等が不要となり、簡単に組み立てることができる。一方、のり等を用いて貼り付けることで型紙同士や各種のパーツを接続する場合には、差込片をスリットに差し込んで接続する場合よりも接続強度を向上することができ、立体模型の全体強度を高めることができる。
【符号の説明】
【００７８】
１  立体模型（リフト模型）
２  シート材
１０  台座部
１１  台座部本体
１２  操作部抑え
２０  操作部
２１  操作部本体
２２  摘み部
３０  リフト部
３１  第１脚部
３１ｂ  差込片
３２  第２脚部
３２ｃ  操作部連結片
３３  支持面部
３４  連結部
４０  柱部
４１  支柱部
４２  起立部
【図１】
2017148408.tif 000003
【図２Ａ】
2017148408.tif 000004
【図２Ｂ】
2017148408.tif 000005
【図３】
2017148408.tif 000006
【図４】
2017148408.tif 000007
【図５Ａ】
2017148408.tif 000008
【図５Ｂ】
2017148408.tif 000009
【図６】
2017148408.tif 000010
【図７】
2017148408.tif 000011